【手続補正書】
【提出日】平成18年8月2日(2006.8.2)
【手続補正１】
【補正対象書類名】明細書
【補正対象項目名】発明の名称
【補正方法】変更
【補正の内容】
【発明の名称】単位回路、電気光学装置及び電子機器
【手続補正２】
【補正対象書類名】明細書
【補正対象項目名】特許請求の範囲
【補正方法】変更
【補正の内容】
【特許請求の範囲】
【請求項１】第１のゲートを備えた第１のトランジスタと、
第１の電極と第２の電極とを備え、前記第１の電極が前記第１のゲートに接続された保持用キャパシタと、
第２のトランジスタと、を含み、
前記第２の電極の電位は定電位に設定されており、
第１の期間において、前記第２のトランジスタを経由して前記第２のトランジスタから前記第１のトランジスタに流れるデータ電流の電流レベルに応じて前記第１のゲートのゲート電圧が設定されること、
を特徴とする単位回路。
【請求項２】第１のゲートを備えた第１のトランジスタと、
第１の電極と第２の電極とを備え、前記第１の電極が前記第１のゲートに接続された保持用キャパシタと、
第２のトランジスタと、を含み、
前記第２の電極の電位は前記第２のトランジスタのオン・オフ状態に依存しない電位に設定されており、
第１の期間において、前記第２のトランジスタを経由して前記第２のトランジスタから前記第１のトランジスタに流れるデータ電流の電流レベルに応じて前記第１のゲート電圧が設定されること、
を特徴とする単位回路。
【請求項３】請求項１又は２に記載の単位回路において、
第２の期間において、前記第１の期間に設定された前記第１のトランジスタの前記ゲート電圧に応じた電流レベルを有する駆動電流が電子素子に供給されること、
を特徴とする単位回路。
【請求項４】請求項３に記載の単位回路において、
前記第１の期間において、前記データ電流は前記電子素子を通過すること、
を特徴とする単位回路。
【請求項５】請求項１乃至４のいずれかに記載の単位回路において、
さらに前記第１のゲートと前記第１のトランジスタの第１のドレインとの電気的接続を制御する第３のトランジスタを含むこと、
を特徴とする単位回路。
【請求項６】請求項１乃至５の単位回路を複数含むこと、
を特徴とする電子回路。
【請求項７】複数の走査線と、
複数のデータ線と、
複数の単位回路と、を含み、
前記複数の単位回路の各々は、
第１のゲートを備えた第１のトランジスタと、
第１の電極と第２の電極とを備え、前記第１の電極が前記第１のゲートに接続された保持用キャパシタと、
第２のゲートを備え、前記第２のゲートが前記複数の走査線のうちの一つの走査線に接続された第２のトランジスタと、
電気光学素子と、を含み、
前記第２の電極の電位は定電位に設定されており、
第１の期間において、前記複数のデータ線のうちの一つのデータ線から前記第２のトランジスタを経由して前記第１のトランジスタに流れるデータ電流の電流レベルに応じて前記第１のゲートのゲート電圧が設定されること、
を特徴とする電気光学装置。
【請求項８】複数の走査線と、
複数のデータ線と、
複数の単位回路と、を含み、
前記複数の単位回路の各々は、
第１のゲートを備えた第１のトランジスタと、
第１の電極と第２の電極とを備え、前記第１の電極が前記第１のゲートに接続された保持用キャパシタと、
第２のゲートを備え、前記第２のゲートが前記複数の走査線のうちの一つの走査線に接続された第２のトランジスタと、を含み、
前記第２の電極の電位は前記第２のトランジスタのオン・オフ状態に依存しない電位に設定されており、
第１の期間において、前記複数のデータ線のうちの一つのデータ線から前記第２のトランジスタを経由して前記第１のトランジスタに流れるデータ電流の電流レベルに応じて前記第１のゲート電圧が設定されること、
を特徴とする電気光学装置。
【請求項９】請求項７又は８に記載の電気光学装置において、
前記第１の期間において、前記データ電流は前記電気光学素子を通過すること、
を特徴とする電気光学装置。
【請求項１０】請求項７乃至９のいずれかに記載の電気光学装置において、
第２の期間において、前記第１の期間に設定された前記第１のトランジスタの前記ゲート電圧に応じた電流レベルを有する駆動電流が前記電気光学素子に供給されること、
を特徴とする電気光学装置。
【請求項１１】請求項７乃至１０のいずれかに記載の電気光学装置において、
前記複数の単位回路の各々は、さらに前記第１のゲートと前記第１のトランジスタの第１のドレインとの電気的接続を制御する第３のトランジスタを含むこと、
を特徴とする電気光学装置。
【請求項１２】請求項１１に記載の電気光学装置において、
前記第１の期間において、前記第１のゲートと前記第１のドレインとは、前記第３のトランジスタを介して電気的に接続されること、
を特徴とする電気光学装置。
【請求項１３】請求項７乃至１２のいずれかに記載の電気光学装置において、
さらに、各々が所定電位に設定された複数の第１の電源線を含み、
前記第２の電極は、前記複数の第１の電源線のうちの一つの第１の電源線に接続されていること、
を特徴とする電気光学装置。
【請求項１４】請求項１０に記載の電気光学装置において、
さらに複数の第２の電源線を含み、
前記駆動電流は、前記複数の第２の電源線のうちの一つの第２の電源線から前記電気光学素子に流れること、
を特徴とする電気光学装置。
【請求項１５】請求項７乃至１５のいずれかに記載の電気光学装置を実装したことを特徴とする電子機器。
【手続補正３】
【補正対象書類名】明細書
【補正対象項目名】０００７
【補正方法】変更
【補正の内容】
【０００７】
【課題を解決するための手段】
本発明に係る単位回路は、第１のゲートを備えた第１のトランジスタと、第１の電極と第２の電極とを備え、前記第１の電極が前記第１のゲートに接続された保持用キャパシタと、第２のトランジスタと、を含み、前記第２の電極の電位は定電位に設定されており、第１の期間において、前記第２のトランジスタを経由して前記第２のトランジスタから前記第１のトランジスタに流れるデータ電流の電流レベルに応じて前記第１のゲートのゲート電圧が設定されることを特徴とする。
本発明に係る他の単位回路は、第１のゲートを備えた第１のトランジスタと、第１の電極と第２の電極とを備え、前記第１の電極が前記第１のゲートに接続された保持用キャパシタと、第２のトランジスタと、を含み、前記第２の電極の電位は前記第２のトランジスタのオン・オフ状態に依存しない電位に設定されており、第１の期間において、前記第２のトランジスタを経由して前記第２のトランジスタから前記第１のトランジスタに流れるデータ電流の電流レベルに応じて前記第１のゲート電圧が設定されることを特徴とする。
上記の単位回路において、第２の期間において、前記第１の期間に設定された前記第１のトランジスタの前記ゲート電圧に応じた電流レベルを有する駆動電流が電子素子に供給されることが好ましい。
上記の単位回路において、前記第１の期間において、前記データ電流は前記電子素子を通過するようにしてもよい。
上記の単位回路において、さらに前記第１のゲートと前記第１のトランジスタの第１のドレインとの電気的接続を制御する第３のトランジスタを含むようにしてもよい。
本発明に係る電子回路は、上記の単位回路を複数含む。
本発明に係る電気光学装置は、複数の走査線と、複数のデータ線と、複数の単位回路と、を含み、前記複数の単位回路の各々は、第１のゲートを備えた第１のトランジスタと、第１の電極と第２の電極とを備え、前記第１の電極が前記第１のゲートに接続された保持用キャパシタと、第２のゲートを備え、前記第２のゲートが前記複数の走査線のうちの一つの走査線に接続された第２のトランジスタと、電気光学素子と、を含み、前記第２の電極の電位は定電位に設定されており、第１の期間において、前記複数のデータ線のうちの一つのデータ線から前記第２のトランジスタを経由して前記第１のトランジスタに流れるデータ電流の電流レベルに応じて前記第１のゲートのゲート電圧が設定されることを特徴とする。
本発明に係る他の電気光学装置は、複数の走査線と、複数のデータ線と、複数の単位回路と、を含み、前記複数の単位回路の各々は、第１のゲートを備えた第１のトランジスタと、第１の電極と第２の電極とを備え、前記第１の電極が前記第１のゲートに接続された保持用キャパシタと、第２のゲートを備え、前記第２のゲートが前記複数の走査線のうちの一つの走査線に接続された第２のトランジスタと、を含み、前記第２の電極の電位は前記第２のトランジスタのオン・オフ状態に依存しない電位に設定されており、第１の期間において、前記複数のデータ線のうちの一つのデータ線から前記第２のトランジスタを経由して前記第１のトランジスタに流れるデータ電流の電流レベルに応じて前記第１のゲート電圧が設定されることを特徴とする。
上記の電気光学装置において、前記第１の期間において、前記データ電流は前記電気光学素子を通過するようにしてもよい。
上記の電気光学装置において、第２の期間において、前記第１の期間に設定された前記第１のトランジスタの前記ゲート電圧に応じた電流レベルを有する駆動電流が前記電気光学素子に供給されるようにしてもよい。
上記の電気光学装置において、前記複数の単位回路の各々は、さらに前記第１のゲートと前記第１のトランジスタの第１のドレインとの電気的接続を制御する第３のトランジスタを含むようにしてもよい。
上記の電気光学装置において、前記第１の期間において、前記第１のゲートと前記第１のドレインとは、前記第３のトランジスタを介して電気的に接続されるようにしてもよい。
上記の電気光学装置において、さらに、各々が所定電位に設定された複数の第１の電源線を含み、前記第２の電極は、前記複数の第１の電源線のうちの一つの第１の電源線に接続されていてもよい。
上記の電気光学装置において、さらに複数の第２の電源線を含み、前記駆動電流は、前記複数の第２の電源線のうちの一つの第２の電源線から前記電気光学素子に流れるようにしてもよい。
上記の電気光学装置を電子機器に実装してもよい。
本発明の第１の電子回路は、複数の単位回路を含む電子回路であって、第１の電源線を含み、前記複数の単位回路の各々は、電子素子に直列に接続されるともに前記第１の電源線に接続された第１のトランジスタと、前記第１のトランジスタのドレインと前記第１のトランジスタのゲートとの導通を制御する第２のトランジスタと、前記第１のトランジスタの導通状態を設定するためのデータ電流を出力する電流源と前記第１のトランジスタとの導通を制御する第３のトランジスタと、を備え、前記第３のトランジスタがオン状態にある期間のうち少なくとも１部の期間において、前記第１の電源線は駆動電圧から電気的に切断され、前記第３のトランジスタがオフ状態にある期間のうち少なくとも１部の期間において、前記第１の電源線と前記電子素子との間に、前記第１のトランジスタに前記データ電流により設定された前記第１のトランジスタの導通状態に応じた電流が流れることを特徴とする。
上記の電子回路において、「前記第１のトランジスタのドレインと前記第１のトランジスタのゲートとの導通を制御する」とは、前記第１のトランジスタの前記ドレインと前記第１のトランジスタの前記ゲートとを直接電気的に接続する場合ばかりではなく、前記第３のトランジスタなど、他のトランジスタなどの素子、あるいは配線を介して電気的に接続する場合も含む。